(57)【要約】      （修正有）【課題】画素信号を読出して出力線へ転送する期間を短縮しながら、画素配列から画素信号を読み出すための駆動パルスに起因したノイズの補正精度を向上する。【解決手段】二次元撮像装置は、出力線、複数の第１および第２の保持手段を含む。第２の行から第１の保持手段に画素信号を読み出す動作と、複数の第２の保持手段に読み出された第１の行における各列の画素信号を順次に出力線へ転送する動作とを並行して行う。読み出し手段が第１の行における各列の画素信号を出力線へ転送する間に、第２の行から画素信号を読み出すための駆動パルスを画素配列または読出し手段に供給し、転送期間において駆動パルスが遷移するタイミングで読出し手段により転送された第１の行における第１の列の画素信号を、第２の行における第１の列の画素信号、又は第２の行における第１の列の画素信号及びその周辺の画素信号のレベルに応じて補正する。【選択図】図１
2010068049.tif 000002
【特許請求の範囲】
【請求項１】
複数の画素が行方向及び列方向に配列され、第１の行と第２の行とを含む画素配列と、
前記画素配列に接続された複数の列信号線と、
出力線と、
複数の第１の保持手段と複数の第２の保持手段とを含み、前記第２の行から前記複数の列信号線を介して前記複数の第１の保持手段に画素信号を読み出す動作と、前記複数の第２の保持手段に読み出された前記第１の行における各列の画素信号を順次に前記出力線へ転送する動作とを並行して行う読み出し手段と、
前記読み出し手段が前記第１の行における各列の画素信号を前記出力線へ転送するための転送期間において、前記第２の行から画素信号を読み出すための駆動パルスを前記画素配列または前記読み出し手段に供給する駆動手段と、
前記転送期間において前記駆動パルスのレベルが遷移するタイミングで前記読み出し手段により転送された前記第１の行における第１の列の画素信号を、前記第２の行における前記第１の列の画素信号、又は前記第２の行における前記第１の列の画素信号及びその周辺の画素信号のレベルに応じて補正する補正手段と、
を備えたことを特徴とする撮像装置。
【請求項２】
前記複数の画素のそれぞれは、
光電変換手段と、
前記光電変換手段で蓄積された信号を出力する出力手段と、
を含み、
前記駆動パルスは、前記画素において前記光電変換手段の電荷が前記出力手段により列信号線へ出力されるようにするための制御信号を含む
ことを特徴とする請求項１に記載の撮像装置。
【請求項３】
前記読み出し手段は、前記複数の列信号線と前記複数の第１の保持手段との接続を開閉する複数のスイッチをさらに含み、
前記駆動パルスは、前記複数の列信号線により伝達された画素信号が前記複数のスイッチを介して前記複数の第１の保持手段へ読み出されるようにするための制御信号を含む
ことを特徴とする請求項１に記載の撮像装置。
【請求項４】
前記補正手段は、前記第２の行における少なくとも前記第１の列の画素信号に応じて、前記第１の行における前記第１の列の画素信号を補正する
ことを特徴とする請求項１から３のいずれか１項に記載の撮像装置。
【請求項５】
前記補正手段は、前記第１の行における少なくとも前記第１の列の画素信号に応じて、前記第１の行における前記第１の列の画素信号を補正する
ことを特徴とする請求項１から３のいずれか１項に記載の撮像装置。
【請求項６】
前記補正手段は、前記第２の行における少なくとも前記第１の列の画素信号と、前記第１の行における少なくとも前記第１の列の画素信号とに応じて、前記第１の行における前記第１の列の画素信号を補正する
ことを特徴とする請求項１から３のいずれか１項に記載の撮像装置。
【請求項７】
前記補正手段は、前記第２の行における前記第１の列の画素信号のレベルと、前記第１の行における前記第１の列の画素信号に含まれるノイズのレベルとの予め取得された対応関係に基づいて、前記第１の行における前記第１の列の画素信号を補正する
ことを特徴とする請求項１から６のいずれか１項に記載の撮像装置。
【発明の詳細な説明】
【技術分野】
【０００１】
本発明は、撮像装置に関する。
【背景技術】
【０００２】
従来のデジタルカメラやデジタルビデオカメラなどの撮像装置には、ＣＣＤイメージセンサやＣＭＯＳイメージセンサを撮像センサとして用いるものがある。撮像センサは、複数の画素が行方向及び列方向に配列された画素配列と、画素配列から複数の列信号線を介して信号を読み出す読み出し回路と、読み出し回路から出力線を介して受けた信号を出力する出力アンプとを備える。この撮像センサでは、列信号線や出力線の長さが画素信号ごとに違うことに応じて、画素信号におけるゆるやかな基準レベルのむら（以下、ダークシェーディングと呼ぶ）が発生することがある。このダークシェーディングは、遮光状態の画素から出力された信号を用いて補正することができる。この補正処理を、ダークシェーディング補正処理と呼ぶ。
【０００３】
図８を用いて、ダークシェーディング補正処理を具体的に説明する。図８（ａ）〜（ｄ）は、それぞれ、縦軸が信号レベルを示し、横軸が選択行における列方向の読み出し画素の位置を示す。
【０００４】
画素から列信号線へ出力された図８（ａ）に示すレベルである画素信号も、列信号線や出力線により伝達される過程で図８（ｃ）に示すダークシェーディングの影響を受ける。これにより、出力線を介して出力アンプが受ける画素信号は、図８（ｂ）に示すように、図８（ａ）に示す画像信号成分に図８（ｃ）に示すダークシェーディング成分が重畳されたものとなる。
【０００５】
ここで、読み出し回路は、遮光状態で、図９に示す画素配列ＰＡにおける全画素領域ＡＲ３又は一部の領域ＡＲ２の画素から黒レベルの基準信号を読み出す。あるいは、読み出し回路は、画素配列ＰＡにおける画素が遮光されている（斜線で示す）遮光領域ＳＡから黒レベルの基準信号を読み出す。また、読み出し回路は、有効領域ＥＡの画素から光に応じた画素信号を読み出す。撮像センサは、黒レベルの基準信号と画素信号とを後段へ出力する。これにより、後段では、黒レベルの基準信号を用いて画素信号が補正される。
【０００６】
例えば、目的に応じて選択した所定領域ＡＲ２から、１次元の射影データ（列方向の射影データ）を求め、ノイズ成分による影響を排除するために横方向（行方向）に移動平均をとって、ダークシェーディング補正データ（図８（ｄ）参照）とする。このダークシェーディング補正データを画素信号（図８（ｂ））から減算する補正処理を行うことにより、ダークシェーディングの影響を排除した真の画像信号（図８（ａ）参照）を得ることができる。ここで、上記の移動平均とは一定の画素数の信号を順々に組にして平均値を求める信号処理である。
【特許文献１】特開２００１−０４５３７５号公報
【発明の開示】
【発明が解決しようとする課題】
【０００７】
読み出し回路は、画素配列における選択行から画素信号を読み出す読み出し動作を行った後に、読み出した各列の画素信号を順次に出力線へ転送する転送動作を行うことが多い。読み出し動作及び転送動作を経て撮像センサから出力された信号に対してダークシェーディング補正処理を行うことにより、良好な画像信号を得ることができる。しかし、画素配列に含まれる画素数が多くなってくると、このような読み出し動作及び転送動作が行われる期間、すなわち読み出し期間が長くなる傾向にある。
【０００８】
特許文献１の技術では、複数の画素が２次元配列された画素配列において、行方向に延びた複数の行制御線により駆動するための信号が各画素に供給され、列方向に延びた複数の列信号線を介して各画素の信号が読み出される。各列信号線の一端には２つの蓄積部が接続され、２つの蓄積部のいずれか一方の信号が後段へ転送されているとき、画素から読み出された信号が２つの蓄積部の他方に蓄積される。これにより、ブランキング期間（センサ出力のない期間）を低減でき、総読み出し期間を短縮できる。
【０００９】
ここで、２つの蓄積部を第１の蓄積部（特許文献１における容量１４，１３）及び第２の蓄積部（特許文献１における容量１２，１１）とする。この場合、読み出し回路は、第２の蓄積部から所定の行（たとえば、ｎ−１行目）の画素信号を出力線へ転送している期間に、駆動パルスに応じて読み出しスイッチをオンして、次に読み出す行（たとえば、ｎ行目）の画素信号を第１の蓄積部に読み出す。なお、ｎは、２以上の整数である。
【００１０】
この場合、ｎ−１行目の信号を出力線へ転送する期間中に、ｎ行目の信号を第１の蓄積部に読み出すための駆動パルスにより、読み出し回路の電源や信号線の電圧が変動する。それに伴い、駆動パルスのレベルが遷移することによる影響が、転送されたｎ−１行目の画素信号にノイズとして現れる。このノイズは、転送する各行の画素信号において同じ列アドレスに同程度のレベルで出現するため、画像として見たときに縦方向（＝列信号線に沿う方向）の線状のノイズとして現れる。
【００１１】
ここで、従来のダークシェーディング補正では、ある固定値を記憶しておいて、実際に撮影した画像からその固定値を差し引く、という補正を行っている。しかし、実際に写真を撮影するときは、補正したい画素にどんな明るさの被写体が写っているかわからないため、実際に撮影した画像にどの程度ノイズがのるか事前にはわからない。このため、固定値を記憶しておいて差し引くだけでは充分に補正することができない可能性がある。
【００１２】
本発明の目的は、画素配列から画素信号を読み出して出力線へ転送するための期間を短縮しながら、画素配列から画素信号を読み出すための駆動パルスに起因したノイズの補正精度を向上することにある。
【課題を解決するための手段】
【００１３】
本発明の１つの側面に係る撮像装置は、複数の画素が行方向及び列方向に配列され、第１の行と第２の行とを含む画素配列と、前記画素配列に接続された複数の列信号線と、出力線と、複数の第１の保持手段と複数の第２の保持手段とを含み、前記第２の行から前記複数の列信号線を介して前記複数の第１の保持手段に画素信号を読み出す動作と、前記複数の第２の保持手段に読み出された前記第１の行における各列の画素信号を順次に前記出力線へ転送する動作とを並行して行う読み出し手段と、前記読み出し手段が前記第１の行における各列の画素信号を前記出力線へ転送するための転送期間において、前記第２の行から画素信号を読み出すための駆動パルスを前記画素配列または前記読み出し手段に供給する駆動手段と、前記転送期間において前記駆動パルスのレベルが遷移するタイミングで前記読み出し手段により転送された前記第１の行における第１の列の画素信号を、前記第２の行における前記第１の列の画素信号、又は前記第２の行における前記第１の列の画素信号及びその周辺の画素信号のレベルに応じて補正する補正手段と、を備えたことを特徴とする。
【発明の効果】
【００１４】
本発明によれば、画素配列から画素信号を読み出して出力線へ転送するための期間を短縮しながら、画素配列から画素信号を読み出すための駆動パルスに起因したノイズの補正精度を向上することができる。
【発明を実施するための最良の形態】
【００１５】
＜課題＞
まず、実施形態を実行するにあたって発生する課題を、図１０を用いて詳細に説明する。
【００１６】
本発明の発明者は、特許文献１に示された回路と同様な構成の回路を作製し、２つの蓄積部のいずれか一方の信号が出力線へ転送されているとき、画素から出力された信号が２つの蓄積部の他方に読み出されるような動作を行わせた。
【００１７】
例えば、図１０に示すように、読み出し回路は、第２の蓄積部からｎ−１行目の画素信号を出力線へ転送している期間に、次の読み出し行（たとえば、ｎ行目）から第１の蓄積部に画素信号を読み出すために、駆動パルスをアクティブにした。その結果、ｎ−１行目の画素信号（第２の蓄積部からの出力信号）には、駆動パルスのレベルが遷移するタイミングでパルス状のノイズが混入した。
【００１８】
本発明の発明者は、さらに詳細な検討を行った。その結果、ｎ−１行目の画素信号におけるパルス状のノイズが、その駆動パルスにより読み出されたｎ行目の画素信号の強度（レベル）に依存することを見出した。具体的には、次のようなことを見出した。
【００１９】
このノイズは、例えば被写体の輝度や露光時間によって強度の異なる信号の転送に伴い、電源や信号線が振られて生じるノイズである。読み出し期間中に発生する駆動パルスのうち、画素内における信号の転送や、列信号線を介した転送信号等といった、被写体や撮影条件によって異なる強度を持つ信号の読み出しを行うパルスの駆動に応じて生じる。
【００２０】
前述のパルスに応じて読み出される信号の強度は、被写体の輝度が高いほど強く、電源や信号線のレベル変動が大きくなり、ノイズ量も多くなる。そのため、駆動パルスに起因するノイズは、被写体の輝度が高いほど大きくなると言える。また、同じ被写体であれば、撮影時の露光時間が長いほど、前述のパルスに応じて読み出される信号の強度は強く、電源や信号線のレベル変動が大きくなり、ノイズ量も多くなる。そのため、駆動パルスに起因するノイズは、露光時間が長いほど大きくなると言える。
【００２１】
撮影される被写体の輝度は被写体や撮影環境によって様々であり、それらによって信号の強度は異なる。また、露光時間等の撮影条件によっても信号の強度は異なってくるため、特許文献１に開示された技術では、駆動パルスに起因するノイズの補正精度が低下する可能性がある。
【００２２】
＜撮像装置の構成＞
次に、本発明の実施形態に係る撮像装置１００の構成を、図１を用いて説明する。
【００２３】
撮像装置１００は、次の構成要素を備える。
【００２４】
光学系１は、撮像センサ３の撮像面（画素配列）へ被写体の像を形成する。光学系１は、レンズ及び絞りを含む。
【００２５】
メカニカルシャッタ２は、光路上において光学系１と撮像センサ３との間に設けられ、撮像センサ３の露出を調節する。
【００２６】
撮像センサ３は、画素配列に形成された被写体の像を画像信号に変換する。撮像センサ３は、その画像信号を画素配列から読み出して出力する。撮像センサ３の詳細構成及び詳細動作は後述する。
【００２７】
Ａ／Ｄ変換器４は、画素信号（アナログ信号）を撮像センサ３から受ける。Ａ／Ｄ変換器４は、画素信号（アナログ信号）をＡ／Ｄ変換して画像信号（デジタル信号）を生成し、生成した画像信号（デジタル信号）を信号処理回路７へ出力する。
【００２８】
タイミング信号発生回路５は、基準クロック信号など、光学系１、撮像センサ３、及びＡ／Ｄ変換器４を動作させるための基準となるタイミング信号を発生する。タイミング信号発生回路５は、発生させたタイミング信号を駆動回路６へ供給する。
【００２９】
駆動回路６は、タイミング信号をタイミング信号発生回路５から受ける。駆動回路６は、タイミング信号に基づいて、光学系用の駆動パルス、撮像センサ用の駆動パルス、及びＡ／Ｄ変換器用の駆動パルスをそれぞれ生成する。駆動回路６は、光学系用の駆動パルスを光学系１へ供給することにより、光学系１を駆動する。駆動回路６は、撮像センサ用の駆動パルスを撮像センサ３へ供給することにより、撮像センサ３を駆動する。駆動回路６は、Ａ／Ｄ変換器用の駆動パルスをＡ／Ｄ変換器４へ供給することにより、Ａ／Ｄ変換器４を駆動する。
【００３０】
システム制御部１３は、撮像装置１００の各部を全体的に制御する。
【００３１】
電源ＳＷ１６は、撮像装置１００の電源を投入するための起動指示をユーザから受ける。電源ＳＷ１６は、起動指示をシステム制御部１３へ供給する。これにより、システム制御部１３は、撮像装置１００の各部へ電源が供給されるようにする。
【００３２】
ユーザは、シャッタースイッチ（図示せず）を押し込むことで２つのスイッチ（ＳＷ１、ＳＷ２）を段階的にオンさせる。
【００３３】
第１ＳＷ（ＳＷ１）１７は、シャッタースイッチの押し込まれ方が第一段階のときにオンする。第１ＳＷ１７は、第１の指示をシステム制御部１３へ供給する。システム制御部１３は、第１の指示に応じて、ＡＦ（オートフォーカス）処理、ＡＥ（自動露出）処理、ＡＷＢ（オートホワイトバランス）処理、ＥＦ（フラッシュ調光）処理などの動作を行う。
【００３４】
第２ＳＷ（ＳＷ２）１８は、シャッタースイッチの押し込まれ方が第二段階のときにオンする。第２ＳＷ１８は、第２の指示をシステム制御部１３へ供給する。システム制御部１３は、第２の指示に応じて、撮影動作を行う。すなわち、システム制御部１３は、露光処理や信号処理回路７での演算による現像処理をし、画像メモリ８から画像データを読み出し、圧縮を行い、記録媒体９に画像データを書き込む記録処理をする一連の処理を行う。なお、ここでいう露光処理とは、撮像センサ３から読み出した信号をＡ／Ｄ変換器４、信号処理回路７を介して画像メモリ８に書き込む処理である。
【００３５】
不揮発性メモリ（ＲＯＭ）１４は、システム制御部１３で実行される制御方法を記載したプログラム、プログラムを実行する際に使用されるパラメータやテーブル等の制御データ、及び、キズアドレス等の補正データを記憶している。
【００３６】
揮発性メモリ（ＲＡＭ）１５は、システム制御部１３に対する作業領域として機能し、不揮発性メモリ１４から転送されたプログラム、制御データ及び補正データを一時的に記憶する。
【００３７】
信号処理回路７は、画像信号（デジタル信号）をＡ／Ｄ変換器４から受ける。信号処理回路７は、画像信号（デジタル信号）に対して所定の信号処理（被写体の輝度レベルに応じた駆動パルスに起因するノイズの補正処理を含む）を行うことにより、画像データを生成する。なお、信号処理回路７の詳細動作は後述する。
【００３８】
信号処理回路７は、生成した画像データを、画像メモリ８、記録回路１０、又は表示回路１２へ供給する。
【００３９】
画像メモリ８は、信号処理回路７に対する作業領域として機能し、信号処理回路７による処理中の画像信号（デジタル信号）を信号処理回路７から受けて一時的に記憶する。また、画像メモリ８は、信号処理回路７に対するバッファ領域として機能し、信号処理回路７により生成された画像データを信号処理回路７から受けて一時的に記憶する。
【００４０】
記録回路１０は、画像データを信号処理回路７から受ける。記録回路１０は、受けた画像データを記録媒体９へ記録する。記録媒体９は、記録回路１０に対して着脱可能に接続されている。
【００４１】
表示回路１２は、画像データを信号処理回路７から受ける。表示回路１２は、受けた画像データを表示用の画像信号（アナログ信号）へ変換して、その表示用の画像信号を画像表示装置１１へ供給する。
【００４２】
画像表示装置１１は、表示用の画像信号を表示回路１２から受ける。画像表示装置１１は、表示用の画像信号に応じた画像を表示する。
【００４３】
＜撮影動作＞
次に、撮像装置１００におけるメカニカルシャッタ２を使用した撮影動作を説明する。
【００４４】
システム制御部１３は、撮影動作に先立ち、撮像装置１００の電源投入時等の動作開始時において、不揮発性メモリ１４から必要なプログラム、制御データ及び補正データを揮発性メモリ１５に転送して記憶しておく。
【００４５】
これらのプログラムやデータは、システム制御部１３が、撮像装置１００の各部を制御する際に使用する。また、システム制御部１３は、必要に応じて、追加のプログラムやデータを不揮発性メモリ１４から揮発性メモリ１５に転送し、あるいは、システム制御部１３が直接不揮発性メモリ１４内のデータを読み出して使用する。
【００４６】
駆動回路６は、システム制御部１３からの制御信号により、適切な明るさに設定された被写体の像が撮像センサ３の撮像面（画素配列）に形成されるように、光学系１における絞りとレンズとを駆動する。
【００４７】
駆動回路６は、システム制御部１３からの制御信号により、必要な露光時間となるように撮像センサ３の動作に合わせて撮像センサ３を遮光するように、メカニカルシャッタ２を駆動する。なお、駆動回路６は、メカニカルシャッタ２と撮像センサ３の電子シャッタ機能とを併用して、撮像センサ３の露光を制御しても良い。
【００４８】
駆動回路６は、システム制御部１３からの制御信号により、画素配列ＰＡから画素信号（画像信号）が読み出されるように、撮像センサ３を駆動する。
【００４９】
撮像センサ３から出力されたアナログの画像信号は、システム制御部１３により制御されるタイミング信号発生回路５が発生する動作パルスにより、Ａ／Ｄ変換器４でデジタル画像信号に変換される。
【００５０】
次に、システム制御部１３により制御される信号処理回路７において、デジタル画像信号に対して、ノイズ補正、ダークシェーディング補正を含む各種補正、色変換、ホワイトバランス、ガンマ補正等の画像処理、解像度変換処理、画像圧縮処理等を行う。上記のノイズ補正には、被写体の輝度レベルに応じた駆動パルスに起因するノイズの補正処理が含まれる。駆動パルスに起因するノイズ量は、輝度レベルに応じた係数として、予め不揮発性メモリ１４等に記憶されており、撮影の際、信号処理回路７は、被写体の輝度レベルを判定して補正を実行する。この予め記憶しておく＜駆動パルスに起因するノイズを補正するための係数＞についてと、＜撮影の際の画像の補正方法＞についての詳細は後述する。
【００５１】
画像メモリ８は、信号処理中のデジタル画像信号を一時的に記憶したり、信号処理されたデジタル画像信号である画像データを記憶したりするために用いられる。
【００５２】
信号処理回路７で信号処理された画像データや画像メモリ８に記憶されている画像データは、記録回路１０において記録媒体９に適したデータ（例えば、階層構造を持つファイルシステムデータ）に変換されて記録媒体９に記録される。
【００５３】
また、Ａ／Ｄ変換器４でデジタル画像信号に変換された画像データは、信号処理回路７で解像度変換処理を実施された後、表示回路１２において画像表示装置１１に適した信号（例えば、ＮＴＳＣ方式のアナログ信号等）に変換される。そして、画像表示装置１１に表示される。
【００５４】
ここで、信号処理回路７においては、システム制御部１３からの制御信号により信号処理をせずに、デジタル画像信号をそのまま画像データとして、画像メモリ８や記録回路１０に出力してもよい。
【００５５】
また、信号処理回路７は、システム制御部１３から要求があった場合に、信号処理の過程で生じたデジタル画像信号や画像データの情報、あるいは、それらから抽出された情報をシステム制御部１３に出力する。デジタル画像信号や画像データの情報としては、例えば、画像の空間周波数、指定領域の平均値、圧縮画像のデータ量等の情報がある。
【００５６】
記録回路１０は、システム制御部１３から要求があった場合に、記録媒体９の種類や空き容量等の情報をシステム制御部１３に出力する。
【００５７】
次に、記録媒体９に画像データが記録されている場合の再生動作について説明する。システム制御部１３からの制御信号により記録回路１０は、記録媒体９から画像データを読み出す。
【００５８】
システム制御部１３からの制御信号により信号処理回路７は、画像データが圧縮画像であった場合には、画像伸長処理を行い、画像メモリ８に記憶する。画像メモリ８に記憶されている画像データは、信号処理回路７で解像度変換処理を実施された後、表示回路１２において画像表示装置１１に適した信号に変換されて画像表示装置１１に表示される。
【００５９】
＜撮像センサの構成＞
次に、撮像センサ３の詳細構成を、図２を用いて説明する。
【００６０】
撮像センサ３は、駆動部３０、画素配列ＰＡ、読み出し部２０、水平走査部４０、及び出力アンプ４２５を含む。
【００６１】
駆動部３０は、垂直走査回路４０１を含む。垂直走査回路４０１は、画素配列ＰＡを垂直方向（列方向）に走査する。垂直走査回路４０１は、選択制御線を介して、各行の画素に選択信号φＳＥＬｎ−１〜φＳＥＬｎ＋２を供給することにより、画素配列ＰＡにおける行を選択する。また、垂直走査回路４０１は、転送制御線を介して、各行の画素に転送信号φＴＸｎ−１〜φＴＸｎ＋２を供給することにより、選択された行の画素を転送駆動する。また、垂直走査回路４０１は、リセット制御線を介して、各行の画素にリセット信号φＲＥＳｎ−１〜φＲＥＳｎ＋２を供給することにより、選択された行の画素をリセット駆動する。
【００６２】
画素配列ＰＡでは、複数の画素Ｐｎ−１，１〜Ｐｎ＋２，４が行方向及び列方向に配列されている。図２では、画素配列ＰＡが４行４列の画素で構成される場合が例示的に示されている。
【００６３】
各画素は、光電変換部４０２、転送部４０３、リセット部４０４、電荷電圧変換部４０５、出力部４０６、及び選択部４０７を含む。
【００６４】
光電変換部４０２は、入射光に応じた電荷を発生し、発生した電荷を蓄積する。光電変換部４０２は、例えば、フォトダイオードである。
【００６５】
転送部４０３は、光電変換部４０２で発生した電荷を電荷電圧変換部４０５へ転送する。転送部４０３は、例えば、転送ＭＯＳトランジスタ（転送スイッチ）であり、垂直走査回路４０１からアクティブな転送信号φＴＸｎがゲートに供給された際にオンして、光電変換部４０２で発生した電荷を電荷電圧変換部４０５へ転送する。
【００６６】
電荷電圧変換部４０５は、転送された電荷を電圧に変換する。電荷電圧変換部４０５は、例えば、寄生容量を有するフローティングディフージョンである。
【００６７】
リセット部４０４は、電荷電圧変換部４０５をリセットする。これにより、電荷電圧変換部４０５に蓄積された不要電荷を電源へ掃出すことができる。リセット部４０４は、例えば、リセットＭＯＳトランジスタ（リセットスイッチ）であり、垂直走査回路４０１からアクティブなリセット信号φＲＥＳｎがゲートに供給された際にオンして、電荷電圧変換部４０５をリセットする。
【００６８】
出力部４０６は、電荷電圧変換部４０５の電圧に応じた信号を列信号線ＳＬ１へ出力する。出力部４０６は、例えば、増幅ＭＯＳトランジスタ（ソースフォロワアンプ）であり、列信号線ＳＬ１に接続された負荷電流源４０９とともにソースフォロワ動作を行うことにより、電荷電圧変換部４０５の電圧に応じた信号を列信号線ＳＬ１へ出力する。また、出力部４０６は、電荷電圧変換部４０５とともにフローティングディフージョンアンプを構成している。
【００６９】
選択部４０７は、各画素を選択状態／非選択状態にする。選択部４０７は、例えば、選択ＭＯＳトランジスタ（選択スイッチ）であり、垂直走査回路４０１からアクティブな選択信号φＳＥＬｎがゲートに供給された際にオンして、画素Ｐｎ，１を選択状態にする。選択部４０７は、画素Ｐｎ，１を選択状態にした際に、出力部４０６と列信号線ＳＬ１との接続を導通して、出力部４０６が信号を列信号線ＳＬ１へ出力するようにする。  なお、他の画素Ｐｎ−１，１〜Ｐｎ−１，４、Ｐｎ，２〜Ｐｎ＋２，４の構成も、画素Ｐｎ，１の構成と同様である。
【００７０】
読み出し部２０では、読み出しスイッチ４１０〜４１３、保持容量４１４〜４１７、及び転送スイッチ４１８〜４２１が、それぞれ、画素配列ＰＡにおける各列に対応して行方向に繰り返し配列されている。
【００７１】
読み出しスイッチ４１０〜４１３は、列信号線ＳＬ１〜ＳＬ４と保持容量４１４〜４１７との接続を開閉する。
【００７２】
読み出しスイッチ４１０は、例えば、ＭＯＳトランジスタであり、垂直走査回路４０１からアクティブな制御信号φＴＳ１がゲートに供給された際にオンして、画素から列信号線ＳＬ１〜ＳＬ４を介してＳ信号が保持容量４１４へ読み出されるようにする。読み出しスイッチ４１０は、垂直走査回路４０１からノンアクティブな制御信号φＴＳ１がゲートに供給された際にオフする。これにより、保持容量（第１の保持部）４１４は、列信号線ＳＬ１〜ＳＬ４を介して伝達された１つの行（例えば、ｎ行）の画素信号（Ｓ信号）を保持する。
【００７３】
読み出しスイッチ４１１は、例えば、ＭＯＳトランジスタであり、垂直走査回路４０１からアクティブな制御信号φＴＮ１がゲートに供給された際にオンして、画素から列信号線ＳＬ１〜ＳＬ４を介してＮ信号が保持容量４１５へ読み出されるようにする。読み出しスイッチ４１１は、垂直走査回路４０１からノンアクティブな制御信号φＴＮ１がゲートに供給された際にオフする。これにより、保持容量（第１の保持部）４１５は、列信号線ＳＬ１〜ＳＬ４を介して伝達された１つの行（例えば、ｎ行）の画素信号（Ｎ信号）を保持する。
【００７４】
読み出しスイッチ４１２は、例えば、ＭＯＳトランジスタであり、垂直走査回路４０１からアクティブな制御信号φＴＳ２がゲートに供給された際にオンして、画素から列信号線ＳＬ１〜ＳＬ４を介してＳ信号が保持容量４１６へ読み出されるようにする。読み出しスイッチ４１２は、垂直走査回路４０１からノンアクティブな制御信号φＴＳ２がゲートに供給された際にオフする。これにより、保持容量（第２の保持部）４１６は、列信号線ＳＬ１〜ＳＬ４を介して伝達された他の１つの行（例えば、ｎ−１行）の画素信号（Ｓ信号）を保持する。
【００７５】
読み出しスイッチ４１３は、例えば、ＭＯＳトランジスタであり、垂直走査回路４０１からアクティブな制御信号φＴＮ２がゲートに供給された際にオンして、画素から列信号線ＳＬ１〜ＳＬ４を介してＮ信号が保持容量４１７へ読み出されるようにする。読み出しスイッチ４１３は、垂直走査回路４０１からノンアクティブな制御信号φＴＮ２がゲートに供給された際にオフする。これにより、保持容量（第２の保持部）４１７は、列信号線ＳＬ１〜ＳＬ４を介して伝達された他の１つの行（例えば、ｎ−１行）の画素信号（Ｎ信号）を保持する。
【００７６】
転送スイッチ４１８〜４２１は、保持容量４１４〜４１７と出力線４２２，４２３との接続を導通／遮断する。転送スイッチ４１８，４１９は、水平走査部４０からアクティブな水平転送信号が供給された際にオンして、保持容量４１４，４１５に保持されたＳ信号，Ｎ信号を出力線４２２，４２３に出力する。転送スイッチ４２０，４２１は、水平走査部４０からアクティブな水平転送信号が供給された際にオンして、保持容量４１６，４１７に保持されたＳ信号，Ｎ信号を出力線４２２，４２３に出力する。
【００７７】
水平走査部４０は、画素配列ＰＡにおける各列に対応して行方向に繰り返し配列されたゲートロジック４３１，４３２と、水平走査回路４２４とを含む。水平走査回路４２４は、水平走査パルスφＨとスタートパルスφＨＳＴとに応じて、各列のゲートロジック４３１，４３２へアクティブな信号を順次に供給する。ゲートロジック４３１，４３２は、ロジック選択信号φＬＳＥＬのレベルに応じていずれかがアクティブになる。ゲートロジック４３１は、アクティブになった際に、アクティブな水平転送信号を転送スイッチ４１８，４１９へ供給する。ゲートロジック４３２は、アクティブになった際に、アクティブな水平転送信号を転送スイッチ４２０，４２１へ供給する。
【００７８】
出力アンプ４２５は、出力線４２２を介して伝達されたＳ信号と、出力線４２３を介して伝達されたＮ信号との差分をとるＣＤＳ処理を行うことにより、固定パターンノイズが除去された画素信号（画像信号）を生成してＡ／Ｄ変換器４（図１参照）へ出力する。
【００７９】
なお、リセットスイッチ４２６、４２７は、制御信号φＣＨＲがアクティブになった際にオンすることにより、出力線４２２，４２３をリセットする。これにより、出力線４２２，４２３における不要電荷が掃出される。
【００８０】
＜撮像センサの動作＞
次に、撮像センサ３の詳細動作を、図３を用いて説明する。図３は、撮像センサ３の動作を示すタイミングチャートである。
【００８１】
時刻ｔ１〜ｔ９の水平走査期間ＨＴｎ−１（ｎ−１行目の転送期間）において、水平走査部４０の水平走査回路４２４は、水平走査パルスφＨとスタートパルスφＨＳＴとに応じて、各列のゲートロジック４３１，４３２へアクティブな信号を順次に供給する。また、駆動回路６（図１参照）は、水平走査部４０へＬＯＷレベルの制御信号φＬＳＥＬを供給する。水平走査部４０では、各列のゲートロジック４３２が順次にアクティブになる。これにより、各列の保持容量４１６に保持されたＳ信号が、転送スイッチ４２０を介して出力線４２２に順次読み出される。同時に、各列の保持容量４１７に保持されたＮ信号が、転送スイッチ４２１を介して出力線４２３に順次に転送される。この転送される画素信号は、ｎ−１行目（第１の行）の画素の信号となる。出力アンプ４２５は、Ｓ信号とＮ信号との差分信号を生成して、生成した差分信号を画素信号（画像信号）としてＡ／Ｄ変換器４に出力する。
【００８２】
一方、時刻ｔ２において、駆動部３０は、アクティブな選択信号φＳＥＬｎをｎ行目の画素Ｐｎ，１〜Ｐｎ，４へ供給することにより、ｎ行目の画素Ｐｎ，１〜Ｐｎ，４の選択部４０７をオンさせて画素を選択状態にする。同時に、駆動部３０は、アクティブなリセット信号φＲＥＳｎをｎ行目の画素Ｐｎ，１〜Ｐｎ，４へ供給することにより、ｎ行目の画素Ｐｎ，１〜Ｐｎ，４のリセット部４０４が電荷電圧変換部４０５をリセットするようにする。
【００８３】
時刻ｔ３において、駆動部３０は、ノンアクティブなリセット信号φＲＥＳｎをｎ行目の画素Ｐｎ，１〜Ｐｎ，４へ供給することにより、電荷電圧変換部４０５のリセットを完了する。そして、駆動部３０は、アクティブな制御信号φＴＮ１を各列の読み出しスイッチ４１１へ供給する。これにより、読み出しスイッチ４１１がオンして、ｎ行（第２の行）の画素から列信号線ＳＬ１〜ＳＬ４を介して画素信号（Ｎ信号）が保持容量４１５へ読み出される。
【００８４】
時刻ｔ４において、駆動部３０は、ノンアクティブな制御信号φＴＮ１を各列の読み出しスイッチ４１１へ供給する。これにより、読み出しスイッチ４１１がオフして、保持容量４１５が画素信号（Ｎ信号）を保持する。
【００８５】
時刻ｔ５において、駆動部３０は、アクティブな転送信号φＴＸｎをｎ行目の画素Ｐｎ，１〜Ｐｎ，４へ供給することにより、ｎ行目の画素Ｐｎ，１〜Ｐｎ，４の転送部４０３が光電変換部４０２の電荷を電荷電圧変換部４０５へ転送するようにする。このとき、φＳＥＬｎとφＴＸｎとに駆動パルスが印加されるため、図３（１）のように、列信号線ＳＬ１〜ＳＬ４の電位が大きく変動する。
【００８６】
時刻ｔ６において、駆動部３０は、アクティブな制御信号φＴＳ１を各列の読み出しスイッチ４１０へ供給する。これにより、読み出しスイッチ４１０がオンして、ｎ行（第２の行）の画素からの画素信号（Ｓ信号）が保持容量４１４へ読み出される。
【００８７】
時刻ｔ７において、駆動部３０は、ノンアクティブな制御信号φＴＳ１を各列の読み出しスイッチ４１０へ供給する。これにより、読み出しスイッチ４１０がオフして、保持容量４１４が画素信号（Ｓ信号）を保持する。
【００８８】
時刻ｔ８において、駆動部３０は、ノンアクティブな選択信号φＳＥＬｎをｎ行目の画素Ｐｎ，１〜Ｐｎ，４へ供給することにより、ｎ行目の画素Ｐｎ，１〜Ｐｎ，４の選択部４０７をオフさせて画素を非選択状態にする。
【００８９】
このように、ｎ行目の画素信号を画素から保持容量へ読み出す動作と、ｎ−１行目の画素信号を保持容量から出力線へ転送する動作すなわち水平転送動作とを並行して行うことにより、撮像センサからの読み出し期間を短縮している。
【００９０】
時刻ｔ９〜ｔ１６の水平走査期間ＨＴｎ（ｎ行目の転送期間）において、時刻ｔ１〜ｔ９の水平走査期間ＨＴｎ−１と基本的に同様であるが次の点で異なる動作が行われる。駆動回路６（図１参照）は、水平走査部４０へＨＩＧＨレベルの制御信号φＬＳＥＬを供給する。水平走査部４０では、各列のゲートロジック４３１が順次にアクティブになる。これにより、各列の保持容量４１４に保持されたＳ信号が、転送スイッチ４１８を介して出力線４２２に順次読み出される。同時に、各列の保持容量４１５に保持されたＮ信号が、転送スイッチ４１９を介して出力線４２３に順次に転送される。この転送される画素信号は、ｎ行目（第１の行）の画素の信号となる。
【００９１】
一方、時刻ｔ１０〜ｔ１６において、画素から画素信号が読み出される動作は、時刻ｔ２〜ｔ９における動作と同様である。
【００９２】
＜駆動パルスに起因するノイズ＞
次に、駆動パルスにおけるレベルの遷移に起因したノイズについて、図３（１）〜（４）を用いて詳細に説明する。
【００９３】
図３（１）及び（３）は、駆動パルス（φＴＸｎ）に応じてｎ行目の画素Ｐｎ，１〜Ｐｎ，４において光電変換部４０２の電荷が電荷電圧変換部４０５へ転送された際における列信号線ＳＬ１〜ＳＬ４の電位の変化を示している。また、駆動パルス（φＴＸｎ＋１）に応じてｎ＋１行目の画素Ｐｎ＋１，１〜Ｐｎ＋１，４において光電変換部４０２の電荷が電荷電圧変換部４０５へ転送された際の列信号線ＳＬ１〜ＳＬ４の電位の変化を示している。
【００９４】
より詳しくみると、図３に示すように、ｎ行目の画素内で光電変換部から電荷電圧変換部へ電荷が転送され始めるｔ５の直後のタイミングで、電荷電圧変換部の電圧に応じた信号がｎ行目の画素から列信号線に読み出され、列信号線の電圧が低下する。このとき、列信号線の寄生容量をチャージするために流れる電流の影響によって、読み出し回路のＧＮＤ電源や信号線の電圧がふられる。それに伴い、駆動パルスのレベルが遷移することによる影響が、読み出し回路から後段へ転送されるｎ−１行目の画素信号にノイズとして現れる。同様に、ｎ＋１行目の画素内で光電変換部から電荷電圧変換部へ電荷が転送され始めるｔ１３の直後のタイミングで、電荷電圧変換部の電圧に応じた信号がｎ＋１行目の画素から列信号線に読み出され、列信号線の電圧が低下する。このとき、列信号線の寄生容量をチャージするために流れる電流の影響によって、読み出し回路のＧＮＤ電源や信号線の電圧がふられる。それに伴い、駆動パルスのレベルが遷移することによる影響が、読み出し回路から後段へ転送されるｎ行目の画素信号にノイズとして現れる。
【００９５】
図３（１）は、ｎ−１行目の画素信号の転送期間ＨＴｎ−１に画素から保持容量へ読み出されるｎ行目の画素信号のレベルが大きい（信号強度が強い）場合を示す。また、図３（１）は、ｎ行目の画素信号の転送期間ＨＴｎに画素から保持容量へ読み出されるｎ＋１行目の画素信号のレベルが大きい（信号強度が強い）場合を示す。
一方、図３（３）は、ｎ−１行目の画素信号の転送期間ＨＴｎ−１に画素から保持容量へ読み出されるｎ行目の画素信号のレベルが小さい（信号強度が弱い）場合を示す。また、図３（３）は、ｎ行目の画素信号の転送期間ＨＴｎに画素から保持容量へ読み出されるｎ＋１行目の画素信号のレベルが小さい（信号強度が弱い）場合を示す。
【００９６】
図３（１）と図３（３）とを比較すると、画素から読み出される画素信号のレベルが大きくなることに応じて、遷移タイミング（Ａ，Ｃで示す部分）における列信号線ＳＬ１〜ＳＬ４の電位の変化も大きくなっていることが分かる。言い換えると、被写体の輝度レベルが大きくなることに応じて列信号線ＳＬ１〜ＳＬ４の電位の変化も大きくなる。
【００９７】
図３（２）は、ｎ行目、及びｎ＋１行目の画像信号の信号量が大きい場合（信号強度：強）の出力アンプ４２５より出力されるｎ−１行目、及びｎ行目の画素信号のレベルを示している。
【００９８】
また、図３（４）は、ｎ行目、及びｎ＋１行目の画像信号の信号量が小さい場合（信号強度：弱）の出力アンプ４２５より出力されるｎ−１行目、及びｎ行目の画素信号のレベルを示している。
【００９９】
図３（２）と図３（４）とを比較すると、画素から読み出される画素信号のレベルが大きくなることに応じて、遷移タイミング（Ｂ，Ｄで示す）における画素信号に混入するノイズのレベルも大きくなっていることが分かる。
【０１００】
上述したように、この様な転送期間中に発生する駆動パルスに起因するノイズは、駆動パルスが遷移するタイミングが各行の画素信号の転送期間において同じ列アドレスに対応しているため、各行の同じ列において発生する。これにより、図３のＡ部とＢ部との関係、又は、Ｃ部とＤ部との関係のように、画素信号により得られた画像において、信号の強度に依存する縦線状のノイズとなって現れる。また、そのノイズの量は、被写体の輝度情報を含んだ信号の強度に依存するため、遮光状態におけるノイズ量とは異なる。
【０１０１】
＜駆動パルスに起因するノイズを補正するための補正情報の求め方＞
上述の駆動パルスに起因するノイズを補正するためには、実際の撮影の前に、駆動パルスに起因するノイズを補正するための補正情報を記憶させておく必要がある。よって、駆動パルスにより画素から読み出し部へ読み出される画素信号のレベルと、駆動パルスの遷移タイミングで読み出し部から出力線へ転送される画像信号にのるノイズのレベルとの対応関係（補正情報）を、予め取得し、不揮発性メモリ１４に記憶する。補正情報は、駆動パルスにより画素から読み出し部へ読み出される画素信号のレベルに依存するから、被写体輝度を複数パターン振って撮影することにより、複数求める。ここで、上記のノイズレベルの測定は、撮影前、たとえば撮像装置の電源投入時や、撮影開始の指示によって取得するようにしてもよいし、予め撮像装置を出荷する前に記憶しておいてもよい。
図６の
・DRの光信号入力時の出力信号の平均値をSdr
・DRの遮光時の出力信号の平均値をNdr
・NRの光信号入力時の出力信号の平均値をSnr
・NRの遮光時の水平シェーディングをNnr
としたとき、Nnrは、駆動パルスの影響による縦線ノイズのうちのオフセット成分cと、該当画素列のダークシェーディング成分b2とを足し合わせた値に相当する。（Sdr−Ndr）を真の画像信号と考え、（Snr−Nnr）と（Sdr−Ndr）との差分を、輝度を複数パターン振って求め、各輝度における、（Sdr−Ndr）と、（Snr−Nnr）と（Sdr−Ndr）との差分との関係から、傾きaを求めることができる。
【０１０２】
理想のアンプ出力は、真の画像信号に等しいと考え、理想のアンプ出力をｘ軸、検知された出力アンプ４２５のレベルをｙ軸としたとき、駆動パルスの遷移タイミングで転送する画素信号におけるアンプ出力は図７の曲線Ｄのようになる。また、駆動パルスの遷移タイミング以外のタイミングで転送する画素信号におけるアンプ出力は図７の曲線Ｂのようになる。図７の曲線Ａ、Ｂ、Ｃ、Ｄは、それぞれ、
Ａ：理想のアンプ出力
Ｂ：真の画像信号＋ダークシェーディング（オフセット成分）
Ｃ：真の画像信号＋ダークシェーディング（オフセット成分）＋ノイズ（オフセット成分）
Ｄ：真の画像信号＋ダークシェーディング（オフセット成分）＋ノイズ（オフセット成分＋ゲイン成分）
に対応する。
【０１０３】
ここで、ダークシェーディング成分をｂ、ノイズ成分（駆動パルスの影響による縦線のノイズ）をｃとする。また、信号強度によってノイズ量の変化するノイズの現れるノイズ画素列ＮＲについて、信号強度を横軸、ノイズ画素列ＮＲのアンプ出力を縦軸にプロットした際の傾きをａとする。
【０１０４】
このときのノイズ画素列ＮＲにおけるａは、均一輝度面を撮影したときの出力信号（駆動パルスの遷移タイミングで転送する画素信号と、駆動パルスの遷移タイミング以外のタイミングで転送する画素信号）を基に求めることができる。同様にノイズ成分ｃも均一輝度面を撮影したときの出力信号（駆動パルスの遷移タイミングで転送する画素信号と、駆動パルスの遷移タイミング以外のタイミングで転送する画素信号）を基に求める。この係数ａ、ｃを、被写体輝度を複数パターン振って求めて、テーブル（補正情報）として記憶する。
【０１０５】
＜撮影の際の画像の補正方法＞
理想のアンプ出力（図７の曲線Ａ）は、
ｙ＝ｘ・・・数式１
と表せる。
理想のアンプ出力にダークシェーディング成分が加わった信号が出力される場合（図７の曲線Ｂ）は、
ｙ１＝ｘ＋ｂ１・・・数式２
となる。理想のアンプ出力ｘを求めるには、
ｘ＝ｙ１−ｂ１・・・数式３
を計算すればよい。すなわち、出力アンプ４２５の出力信号ｙ１からダークシェーディング成分ｂ１を減算すれば、理想のアンプ出力ｘを求めることができる。なお、ダークシェーディング成分ｂ１は、ノイズ画素列以外の遮光領域ＳＡより出力された信号により求める。
【０１０６】
更に、ダークシェーディングに加えてノイズが加わった場合の出力信号（図７の曲線Ｄ）は、
ｙ２＝ａ・ｘ＋ｂ２＋ｃ・・・数式４
となる。理想のアンプ出力ｘを求めるには、
ｘ＝｛ｙ２−（ｂ２＋ｃ）｝／ａ・・・数式５
とすればよい。すなわち、補正対象となる画素のアンプ出力ｙ２に（１／ａ）を乗算した値と、（ｂ２＋ｃ）に（−１／ａ）を乗算した値とを足し合わせれば、理想のアンプ出力ｘを求めることができる。なお、ダークシェーディング成分ｂ２は、遮光領域ＳＡのうちのノイズ画素列ＮＲより出力された信号により求める。
【０１０７】
また、ノイズが信号強度に依存しない場合（図７の曲線Ｃ）は、ａ＝１であり、
ｙ２＝ｘ＋ｂ２＋ｃ・・・数式６
と表せる。理想のアンプ出力ｘは、
ｘ＝ｙ２−（ｂ２＋ｃ）・・・数式７
で求めることができる。
【０１０８】
次に、上記の概念に基づいて信号処理回路７の詳細動作を説明する。
【０１０９】
まず、ノイズの補正を行う際に、前述の係数テーブルから係数を選択する（係数を判定する）ための判定を行う。注目画素Ｐｉ，ｊの信号に対してのるノイズの補正を行う際の判定領域として用いる領域は、例えば、図５（１）〜（４）のいずれかが考えられる。図５は、撮像センサの画素より読み出した画素信号を、画素の並びどおりに配列した状態を簡易に表した図である。
【０１１０】
図５（１）の場合、図２の保持容量４１６、４１７に蓄積された画素Ｐｉ，ｊの信号に対して、画素Ｐｉ，ｊの配された行の次の行に配された画素のうち、画素Ｐｉ，ｊと水平方向に同じアドレスに配された画素Ｐｉ＋１，ｊを判定領域ＤＲ１とする。図２の光電変換部４０２から転送部４０３に画素信号を転送する際の駆動パルスが影響を及ぼすことによるノイズの補正には、判定領域ＤＲ１の信号強度を用いて係数の判定を行うのが適切である。
【０１１１】
なお、係数の判定には、隣接する画素であれば、信号強度の差はほとんどないと考えられるため、簡易的に、画素Ｐｉ，ｊ自身の信号強度を判定に用いることができる。
【０１１２】
実際に判定を行う際には、一画素の値からでは画素ごとのノイズによって正確な判定が行いにくい。そのため、ノイズによる影響を排除するために、隣接する複数の画素からなる領域の信号の積分値、あるいは平均値を判定に用いるのがよい。なお、読み出される信号が大きいときのノイズは、信号に対して充分少なく、隣接する画素であれば、信号強度の差はほとんどないと考えると、ほぼ同じ出力レベルとなる周辺の画素からの出力の平均値に応じて補正を行っても問題ない。
【０１１３】
判定に用いる画素領域の例としては、画素Ｐｉ，ｊと、画素Ｐｉ，ｊの周辺の数画素を含む判定領域ＤＲ２（図５（２）参照）、画素Ｐｉ，ｊの配された行の次に読み出す行を含む判定領域ＤＲ３（図５（３）参照）が挙げられる。あるいは、判定に用いる画素領域の例としては、画素Ｐｉ，ｊの含まれる行を含む判定領域ＤＲ４（図５（４）参照）が挙げられる。
【０１１４】
信号処理回路７（図１参照）は、図５の判定領域より得られた画素信号のレベルと、対応関係（図４参照）にある係数テーブル（図７参照）の情報を不揮発性メモリ１４から取得する。そして、信号処理回路７は、係数テーブルに基づいて、駆動パルスにより読み出された画素信号を数式７に基づいて補正する。このようにして信号処理回路７は、転送期間において駆動パルスのレベルが遷移するタイミングで読み出し部２０により転送された列（第１の列）の画素信号を補正する。
【０１１５】
上述のように、撮像センサ３において、画素から画素信号を読み出す動作と、画素信号を読み出し部２０から後段へ転送する動作とを並行して行うことに伴い、その転送される画素信号にパルス状のノイズが混入する。この場合でも、信号処理回路７が、駆動パルスが遷移するタイミングで読み出し部２０から後段へ転送された画素信号を、その駆動パルスにより画素から読み出された画素信号のレベルに応じて補正する。これにより、画素から保持容量へ画素信号を読み出す動作と、保持容量から出力線へ画素信号を転送する動作とを並行して行うことにより読み出し期間を短縮した場合でも、駆動パルスのレベルの遷移に起因したノイズの補正精度を向上できる。すなわち、画素配列から画素信号を読み出し出力線へ転送するための期間を短縮しながら、画素から信号を読み出すための駆動パルスにおけるレベルの遷移に起因したノイズの補正精度を向上することができる。
【０１１６】
なお、本実施形態に記載の駆動モードの他にも、信号の水平転送期間中にパルスを発生させ、その結果、パルスの駆動の影響によりノイズが生じる場合、特に、信号量に依存したノイズが生じる様な駆動を行う場合には、本件を適用することができる。
【図面の簡単な説明】
【０１１７】
【図１】本発明の実施形態に係る撮像装置１００の構成図。
【図２】撮像センサ３の構成図。
【図３】撮像センサ３の動作を示すタイミングチャート。
【図４】駆動パルスにより読み出される画素信号の強度と、その影響を受ける画素信号（遷移タイミングで読み出し部から後段へ転送される画素信号）におけるノイズの量との関係の例を示す図。
【図５】判定領域を説明するための図。
【図６】補正係数を求めるための演算領域の例を示す図。
【図７】駆動パルスにより読み出し部から読み出される画素信号のレベルと、駆動パルスの遷移タイミングで読み出し部から後段へ転送されるノイズのレベルとの対応関係を示す図。
【図８】背景技術を説明するための図。
【図９】背景技術を説明するための図。
【図１０】課題を説明するための図。
【符号の説明】
【０１１８】
３  撮像センサ
６  駆動回路
７  信号処理回路
８  画像メモリ
１３  システム制御部
１４  ＲＯＭ
１５  ＲＡＭ
２０  読み出し部
３０  駆動部
４０  水平走査部
４０１  垂直走査回路
４０２  光電変換部
４０３  転送部
４０４  リセット部
４０５  電荷電圧変換部
４０６  出力部
４０７  選択部
４０９  負荷電流源
４１０〜４１３  読み出しスイッチ
４１４〜４１７  保持容量
４１８〜４２１  転送スイッチ
４２２，４２３  出力線
４２５  出力アンプ
１００  撮像装置
【図１】
2010068049.tif 000003
【図２】
2010068049.tif 000004
【図３】
2010068049.tif 000005
【図４】
2010068049.tif 000006
【図５】
2010068049.tif 000007
【図６】
2010068049.tif 000008
【図７】
2010068049.tif 000009
【図８】
2010068049.tif 000010
【図９】
2010068049.tif 000011
【図１０】
2010068049.tif 000012